(57)【要約】【課題】ねじ棒を共回りさせることなく、電動工具を使用してナットを締め付けることができると共に、被締結部材の離脱を阻止する固定金具を提供する。【解決手段】固定金具１は、ねじ棒２と、ロックヘッド３と、ねじ棒２に螺合されるナット４と、押さえ部材５とを具備する。ロックヘッド３は、ねじ棒２の一端側に、それの軸線直交方向に貫通する枢ピン６により枢支され、挿入位置と、ロック位置との間で回転自在である。ナット４は、ねじ棒２の他端側に螺合される。押さえ部材５は、ナット４と被締結部材３７との間に配置される。ねじ棒２は、その外周に、そのほぼ全長にわたって延びる切欠平面２ａを具備すると共に、他端に抜け止め用の拡大部２bを具備する。押さえ部材５は、ねじ棒２を相対回転不可能に挿通させる形状の挿通孔５ａと、被締結部材３７に係合して、ナット４の締め付け作業中にねじ棒２を共回りさせないように保持する係合部５ｂとを具備する。【選択図】図１
2011158008.tif 000002
【特許請求の範囲】
【請求項１】
ねじ棒と、このねじ棒の一端側に当該ねじ棒を軸線直交方向に貫通する枢ピンにより枢支されねじ棒とほぼ平行に配置される挿入位置とねじ棒と直交方向に配置されるロック位置との間で回転自在のロックヘッドと、前記ねじ棒の他端側に螺合されるナットと、このナットと被締結部材との間に配置されるように前記ねじ棒に嵌め込まれる押さえ部材とを具備し、
前記ねじ棒は、前記ナットと押さえ部材とを抜け止めする拡大部を他端側に具備すると共に、他端からそのほぼ全長にわたって延びる切欠平面を外周に具備し、
前記押さえ部材は、前記ねじ棒を相対回転不可能に挿通させる形状の挿通孔と、被締結部材に係合してナットの締め付け作業中にねじ棒を共回りさせない係合部とを具備することを特徴とする固定金具。
【請求項２】
前記ねじ棒の拡大部は、前記ナットと押さえ部材とを嵌め込んだ後にねじ棒の他端に形成されたカシメ部であることを特徴とする請求項１に記載の固定金具。
【請求項３】
前記ねじ棒は、単一の前記切欠平面を具備して横断面切欠円形状に形成され、前記押さえ部材の挿通孔は、ねじ棒を相対回転不可能に挿通させる切欠円形状に形成されることを特徴とする請求項１又は2に記載の固定金具。
【発明の詳細な説明】
【技術分野】
【０００１】
この発明は、閉鎖空間や狭小空間に連通する貫通孔にねじ棒を挿入してナットで被締結部材を締め付ける固定金具に関する。
【背景技術】
【０００２】
貫通孔の裏側に手を差し込んでボルトを貫通させたり、ナットを螺合させたりすることができない閉鎖された内部空間を有する壁面等に被締結部材を固定するための締結具として、ブラインドボルトなどと称されるブラインドファスナーが広く普及している。その一例を図１１に示す。ブラインドファスナー３１は、ねじ棒３２と、その一端側にピン３３で回転自在に取り付けられたアンカーヘッド３４とを具備し、ねじ棒３２には他端側からナット３５が螺着される。アンカーヘッド３４は、軸方向の中心から僅かに一方向に偏った位置でピン３３にて枢支される。
【０００３】
このブラインドファスナー３１を用いて架台３６上に被締結部材３７を固定するには、先ずアンカーヘッド３４を回転操作して、図１１Ｂに示すように、その軸線とねじ棒３２の軸線とを一致させる。次いで、アンカーヘッド３４と共に、ねじ棒３２の一端側を架台３６の貫通孔３６aに表側から挿入し、図１１Ｃに示すように、ねじ棒３２を軸線の周りに１８０°回転すると、アンカーヘッド３４がアンバランスによりピン３３周りに回転し、ねじ棒３２の軸線直交方向に向く。その状態でねじ棒３２を貫通孔３６aの表側に引っ張ると、図１１Ｄに示すように、アンカーヘッド３４が貫通孔３６aの裏側に接触した状態になる。次いで、架台３６上に被締結部材３７を添えて、ねじ棒３２を被締結部材３７の挿通孔３７ａに挿通させ、ナット３５で締結する。
【先行技術文献】
【特許文献】
【０００４】
【特許文献１】特開２００４−１５０６０４号公報（図１〜５）
【発明の概要】
【発明が解決しようとする課題】
【０００５】
上記従来のブラインドファスナー３１においては、ナット３５を螺合する際に、一方の手でねじ棒３２を保持していないと、ねじ棒３２が共回りしてしまうので、電動工具を使用してナット３５を締め付けることができない。手動工具を使用してナットの締め付け作業を行うのは非効率的である。盗難防止等の目的で、被締結部材の取り外しを不可能にする必要がある場合には、締め付け後にナットを溶着する等の異質の追加的作業を必要とする。
したがって、この出願に係る発明は、ねじ棒を共回りさせることなく、電動工具を使用して容易にナットを締め付けることができ、また、ナットの溶着等の追加的作業を必要とせずに、被締結部材を取り外し困難に架台上に固着することができる固定金具を提供することを目的としている。
【課題を解決するための手段】
【０００６】
以下、添付図面の符号を参照して説明するが、本発明はこれに限定されるものではない。
上記課題を解決するための、この出願に係る発明の固定金具１は、ねじ棒２と、ロックヘッド３と、ねじ棒２に螺合されるナット４と、押さえ部材５とを具備する。ロックヘッド３は、ねじ棒２の一端側に、それの軸線直交方向に貫通する枢ピン６により枢支され、ねじ棒２とほぼ平行に配置される挿入位置と、ねじ棒２と直交方向に配置されるロック位置との間で回転自在である。ナット４は、ねじ棒２の他端側に螺合される。押さえ部材５は、ナット４と被締結部材３７との間に配置されるようにねじ棒２に嵌め込まれる。
ねじ棒２は、その外周に、他端からそのほぼ全長にわたって延びる切欠平面２ａを具備すると共に、ナット４と押さえ部材５とを嵌め込んだ後に、製作工場において予め形成された拡大部２ｂを他端部に具備する。拡大部２ｂは、端部を軸方向にカシメて押し潰すことにより、あるいは溶融して変形させる等して形成され、ナット４と押さえ部材５とをねじ棒２に対して抜け止めする。
押さえ部材５は、ねじ棒２を相対回転不可能に挿通させる形状の挿通孔５ａと、被締結部材３７に係合する係合部５ｂとを具備する。係合部５ｂは、被締結部材３７の形状に対応して種々の異なる形状をとり得る。
【発明の効果】
【０００７】
この出願に係る発明の固定金具によれば、押さえ部材５の係合部５ｂが被締結部材３７に係合することによって、ねじ棒２を共回りさせることなく、電動工具を用いてナット４の締め付け作業を効率的に行うことができる。ナット４と押さえ部材５は、拡大部２ｂに止められて、ねじ棒２から抜き取ることができないので、被締結部材３７の安易な取り外しを不可能にし、盗難等を防止することができる。
【図面の簡単な説明】
【０００８】
【図１】本発明に係る固定金具の分解斜視図である。
【図２】図１の固定金具の正面図である。
【図３】図１の固定金具の側面図である。
【図４】図１の固定金具の使用状態を示す正面図である。
【図５】図１の固定金具の使用状態を示す正面図である。
【図６】図１の固定金具の使用状態を示す正面図である。
【図７】図１の固定金具の使用状態を示す正面図である。
【図８】図１の固定金具における押さえ部材の平面図である。
【図９】他の実施形態の固定金具の分解斜視図である。
【図１０】図９の固定金具の使用状態を示す正面図である。
【図１１】従来の固定金具の説明図である。
【発明を実施するための形態】
【０００９】
図面を参照してこの発明の実施の形態を説明する。固定金具１は、ねじ棒２と、ロックヘッド３と、ねじ棒２に螺合されるナット４と、押さえ部材５とを具備する。７は平座金、８ばね座金で、必要に応じて、ナット４と押さえ部材５との間に介設される。
【００１０】
ロックヘッド３は、ねじ棒２の一端側に、それの軸線直交方向に貫通する枢ピン６により枢支され、ねじ棒２とほぼ平行に配置される挿入位置（図４，５）と、ねじ棒２と直交方向に配置されるロック位置（図２，７）との間で回転自在である。
【００１１】
ナット４は、ねじ棒２の他端側に螺合される。押さえ部材５は、図６，７に示すように、装着状態において、ナット４と被締結部材３７との間に配置されるようにねじ棒２に嵌め込まれる。
【００１２】
ねじ棒２は、その外周に、他端からそのほぼ全長にわたって延びる切欠平面２ａを具備する。したがって、ねじ棒２は、横断面切欠円形状に形成される。なお、切欠平面２ａは、単一に限定されない。また、ねじ棒２の他端には、ナット４と押さえ部材５とを嵌め込んだ後に、製作工場において予め形成される拡大部２ｂを具備する。拡大部２ｂは、端部を軸方向にカシメて押し潰すことにより、あるいは溶融して変形させる等して形成され、ナット４と押さえ部材５とをねじ棒２に対して抜け止めする。
【００１３】
図１〜８の実施形態において、押さえ部材５は、短冊状金属板材を屈曲形成してなり、ねじ棒２を相対回転不可能に挿通させるための、ねじ棒断面と相似形の切欠円形状の挿通孔５ａを具備する。挿通孔５ａは、ねじ棒２を相対回転不可能に挿通させるために、ねじ棒２の断面形状に応じた種々の異なる形状を取り得る。押さえ部材５は、被締結部材３７に係合させるための屈折した係合部５ｂを両端に具備する。係合部５ｂは、被締結部材３７の形状に対応して種々の異なる形状をとり得る。
図９には、形状の異なる被締結部材３７に適用するための異なる形状の押さえ部材５を備えた固定金具を示す。
【００１４】
この固定金具１を用いて架台３６上に被締結部材３７を固定するには、先ずアンカーヘッド３を回転操作し、図４，５に示すように、アンカーヘッド３を立て、ねじ棒２と平行近くに配置して保持する。次いで、アンカーヘッド３と共に、ねじ棒２の一端側を架台３６の貫通孔３６aに表側から挿入し、図６に示すように、アンカーヘッド３をアンバランスにより、ねじ棒２の軸線直交方向に向かせると共に、押さえ部材５の係合部５ｂを被締結部材３７に係合させる。その状態で、ナット４に電動工具３８を掛けて締め込む。ねじ棒２は、押さえ部材５と共に回転が規制されるので、ナット４と共回りすることがなく、締め付け作業は円滑に行われる。ナット４と押さえ部材５は、拡大部２ｂに止められて、ねじ棒２から抜き取ることができないので、被締結部材３７を架台３６から取り外すことが不可能になる。これにより、被締結部材３７の盗難等を防止することができる。
【００１５】
図９，１０に示す他の実施形態における押さえ部材５の係合部５ｂは、先の実施形態のものと反対方向（上方）へ屈曲し、両端において外方へ直角に屈曲している。押さえ部材５は、架台３６上に着座し、架台３６上に配置された両側の被締結部材３７に係合するように構成される。
【符号の説明】
【００１６】
１    固定金具
２    ねじ棒
２ａ  切欠平面
３    アンカーヘッド
４    ナット
５    押さえ部材
５ａ  挿通孔
５ｂ  係合部
６    枢ピン
３６  架台
３７  被締結部材
【図１】
2011158008.tif 000003
【図２】
2011158008.tif 000004
【図３】
2011158008.tif 000005
【図４】
2011158008.tif 000006
【図５】
2011158008.tif 000007
【図６】
2011158008.tif 000008
【図７】
2011158008.tif 000009
【図８】
2011158008.tif 000010
【図９】
2011158008.tif 000011
【図１０】
2011158008.tif 000012
【図１１】
2011158008.tif 000013
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
２つの被締結部材を所定の相互間隔を保持して隣り合う状態で、架台上に固定するための金具であって、
一端側が前記架台の貫通孔を貫通し、中間が前記２つの被締結部材の相互間隔内を延びるねじ棒と；このねじ棒の一端側に、当該ねじ棒を軸線直交方向に貫通する枢ピンにより枢支され、ねじ棒とほぼ平行に配置される挿入位置とねじ棒と直交方向に配置されるロック位置との間で回転自在のアンカーヘッドと；前記ねじ棒の他端側に螺合されるナットと；このナットと前記アンカーヘッドとの間に配置され、前記２つの被締結部材を前記架台上に押さえつけるように前記ねじ棒に嵌め込まれる押さえ部材とを具備し、
前記ねじ棒は、外周の少なくとも一部に切欠平面を具備し、
前記アンカーヘッドは、挿入位置において前記ねじ棒と共に前記架台の貫通孔を通過可能であるが、ロック位置においては当該貫通孔を通過不可能な形状に構成され、
前記押さえ部材は、前記ねじ棒を相対回転不可能に挿通させる形状の挿通孔と；前記２つの被締結部材に係合してナットの締め付け作業中にねじ棒を共回りさせない係合部とを具備することを特徴とするパネル材の隣接固定金具。
【請求項２】
前記ねじ棒は、前記ナットと押さえ部材とを抜け止めするための拡大部を他端に具備することを特徴とする請求項１に記載の固定金具。
【請求項３】
前記ねじ棒は、単一の前記切欠平面を具備して横断面切欠円形状に形成され、前記押さえ部材の挿通孔は、ねじ棒を相対回転不可能に挿通させるように対応する切欠円形状に形成されることを特徴とする請求項１又は２に記載の固定金具。
【手続補正２】
【補正対象書類名】明細書
【補正対象項目名】０００６
【補正方法】変更
【補正の内容】
【０００６】
以下、添付図面の符号を参照して説明するが、本発明はこれに限定されるものではない。
上記課題を解決するための、この出願に係る発明の固定金具１は、ねじ棒２と、アンカーヘッド３と、ねじ棒２に螺合されるナット４と、押さえ部材５とを具備する。アンカーヘッド３は、ねじ棒２の一端側に、それの軸線直交方向に貫通する枢ピン６により枢支され、ねじ棒２とほぼ平行に配置される挿入位置と、ねじ棒２と直交方向に配置されるロック位置との間で回転自在である。ナット４は、ねじ棒２の他端側に螺合される。押さえ部材５は、ナット４とアンカーヘッド３との間に配置され、２つの被締結部材を架台３６上に押さえつけるようにねじ棒２に嵌め込まれる。
ねじ棒２は、その外周の少なくとも一部に切欠平面２ａを具備する。ねじ棒２は、ナット４と押さえ部材５とを嵌め込んだ後に、製作工場において、他端部に、予め拡大部２ｂを形成することができる。拡大部２ｂは、端部を軸方向にカシメて押し潰すことにより、あるいは溶融して変形させる等して形成され、ナット４と押さえ部材５とをねじ棒２に対して抜け止めする。
押さえ部材５は、ねじ棒２を相対回転不可能に挿通させる形状の挿通孔５ａと、被締結部材３７に係合する係合部５ｂとを具備する。係合部５ｂは、被締結部材３７の形状に対応して種々の異なる形状をとり得る。
【手続補正３】
【補正対象書類名】明細書
【補正対象項目名】０００９
【補正方法】変更
【補正の内容】
【０００９】
図面を参照してこの発明の実施の形態を説明する。固定金具１は、ねじ棒２と、アンカーヘッド３と、ねじ棒２に螺合されるナット４と、押さえ部材５とを具備する。７は平座金、８ばね座金で、必要に応じて、ナット４と押さえ部材５との間に介設される。
【手続補正４】
【補正対象書類名】明細書
【補正対象項目名】００１０
【補正方法】変更
【補正の内容】
【００１０】
アンカーヘッド３は、ねじ棒２の一端側に、それの軸線直交方向に貫通する枢ピン６により枢支され、ねじ棒２とほぼ平行に配置される挿入位置（図４，５）と、ねじ棒２と直交方向に配置されるロック位置（図２，７）との間で回転自在である。
【手続補正５】
【補正対象書類名】明細書
【補正対象項目名】００１１
【補正方法】変更
【補正の内容】
【００１１】
ナット4は、ねじ棒2の他端側に螺合される。押さえ部材５は、図６、図７に示すように、装着状態において、ナット４と被締結部材３７との間に配置され、両側の被締結部材３７を架台３６上に押さえつけるようにねじ棒２に嵌め込まれる。
【手続補正６】
【補正対象書類名】明細書
【補正対象項目名】００１２
【補正方法】変更
【補正の内容】
【００１２】
ねじ棒２は、その外周に、他端からそのほぼ全長にわたって延びる切欠平面２ａを具備する。したがって、ねじ棒２は、横断面切欠円形状に形成される。なお、切欠平面２ａは、単一に限定されない。また、ねじ棒２の他端には、ナット４と押さえ部材５とを嵌め込んだ後に、製作工場において予め拡大部２ｂを形成することができる。拡大部２ｂは、端部を軸方向にカシメて押し潰すことにより、あるいは溶融して変形させる等して形成され、ナット４と押さえ部材５とをねじ棒２に対して抜け止めする。